(57)【要約】      （修正有）【課題】簡易な構成且つ低コストで複数の付加機能の中から所望の機能を選択して実現できる水晶発振器を提供する。【解決手段】水晶振動子１とＩＣ２０とを有し、温度補償機能を有する水晶発振器であって、ＩＣ２０が、電源電圧端子Ｖｃｃと、接地端子ＧＮＤと、出力端子Ｖｏｕｔに加えて、付加機能に対応する端子である温度センサデータ出力端子Ｖｔｓｅｎｓと、イネーブル／ディセーブル端子Ｖｅｄと、自動周波数制御電圧入力端子Ｖａｆｃと、各付加機能に対応する端子のオン／オフを切り替える第１，第２，第３のスイッチ素子２５，２６，２７と、第１，第２，第３のスイッチ素子のオン／オフを規定する指示データを記憶するメモリ２４を備え、メモリ２４が第１，第２，第３のスイッチ素子に前記指示データを出力する水晶発振器としている。【選択図】図１
2013219461.tif 000002
【特許請求の範囲】
【請求項１】
水晶振動子とＩＣとを有し、前記ＩＣが発振回路及び温度センサを備え、前記温度センサで検出された温度データに基づいて周波数信号を補償する温度補償機能を有する水晶発振器であって、
前記ＩＣが、電源電圧端子と、接地端子と、出力端子と、
前記温度データを出力する温度センサデータ出力端子と、
前記温度センサデータ出力端子のオン／オフを切り替える第１のスイッチ素子と、
前記第１のスイッチ素子のオン／オフを規定する指示データを記憶し、前記第１のスイッチ素子に前記指示データを出力するメモリとを備えたことを特徴とする水晶発振器。
【請求項２】
前記ＩＣが、発振器出力の出力／非出力を切り替えるイネーブル／ディセーブル信号を入力するイネーブル／ディセーブル端子と、
前記イネーブル／ディセーブル端子のオン／オフを切り替える第２のスイッチ素子とを備え、
メモリが、前記第２のスイッチ素子のオン／オフを規定する指示データを記憶し、前記第２のスイッチ素子に前記指示データを出力することを特徴とする請求項１記載の水晶発振器。
【請求項３】
前記ＩＣが、自動周波数制御電圧を入力する自動周波数制御電圧入力端子と、
前記自動周波数制御電圧入力端子のオン／オフを切り替える第３のスイッチ素子とを備え、
メモリが、前記第３のスイッチ素子のオン／オフを規定する指示データを記憶し、前記第３のスイッチ素子に前記指示データを出力することを特徴とする請求項１又は２記載の水晶発振器。
【請求項４】
メモリがＥＥＰＲＯＭであって、電源投入時に第１、第２、第３のスイッチ素子を、それぞれオン又はオフに設定することを特徴とする請求項３記載の水晶発振器。
【発明の詳細な説明】
【技術分野】
【０００１】
本発明は、付加機能を備えた水晶発振器に係り、特に、簡易な構成且つ低コストで複数の付加機能の中から所望の機能を選択して実現できる水晶発振器に関する。
【背景技術】
【０００２】
［先行技術の説明］
従来の水晶発振器として、ＶＣ−ＴＣＸＯ（Voltage Controlled, Temperature Compensated Crystal Oscillator；電圧制御温度補償型水晶発振器）がある。
ＶＣ−ＴＣＸＯは、基本的に、水晶振動子とＩＣとから構成され、ＩＣには発振回路や温度センサ及び温度補償回路が設けられている。そして、ＩＣが、外部からの制御信号により水晶振動子への電圧制御を行って発振周波数を制御すると共に、ＩＣ内部で検出された温度に基づいて水晶振動子の周波数温度特性に応じた補償を行って周波数信号（Ｖout）を出力するものである。
【０００３】
また、従来のＶＣ−ＴＣＸＯには、基本機能である温度補償機能や自動周波数制御（Auto Frequency Control；ＡＦＣ）機能に加えて、付加機能を備えたものもあった。
付加機能としては、例えば、温度センサデータを出力する機能や、外部から発振器出力の動作／非動作（Enable/Disable, Ｅ／Ｄ）を切り替えるＶed信号を入力して、Ｖoutの出力／非出力を切り替える機能がある。
また、Ｖoutを分岐して、通常の出力（Ｖout1）の他に、ＶＣ−ＴＣＸＯを搭載する機器において例えばクロックとして利用される周波数信号（Ｖout2）を出力する機能がある。
【０００４】
［従来のＶＣ−ＴＣＸＯの回路構成：図３］
ここで、従来のＶＣ−ＴＣＸＯの回路構成について図３を用いて説明する。図３は、従来のＶＣ−ＴＣＸＯの回路構成を示す説明図である。
図３に示すように、従来のＶＣ−ＴＣＸＯは、基本的に、水晶振動子１とＩＣ２とを備えており、水晶振動子１は、水晶端子（Ｘ１、Ｘ２）によりＩＣ２と接続されている。
【０００５】
ＩＣ２は、ＶＣ−ＴＣＸＯ発振回路（図では「ＶＣ−ＴＣＸＯ」）２１と、温度センサ２２と、ＡＭＰ２３とを備えている。また、回路面に、外部に接続する端子として、自動周波数制御電圧端子（Ｖafc）、電源電圧端子（Ｖcc）、接地端子（ＧＮＤ）、出力端子（Ｖout）、温度センサ出力端子（Ｖtsens）、Ｅ／Ｄ入力端子（Ｖed）を備えている。
【０００６】
温度センサ２２は、温度を検出して温度データをＶＣ−ＴＣＸＯ発振回路２１及びＶtsens端子に出力する。
ＶＣ−ＴＣＸＯ発振回路２１は、Ｖafc端子と、水晶端子（Ｘ１，Ｘ２）と、温度センサ２２と、ＡＭＰ２３とに接続されており、Ｖafc端子から入力される制御電圧に基づいて、水晶振動子１に印加される電圧を制御して発振周波数を調整する。
また、ＶＣ−ＴＣＸＯ発振回路２１は、水晶振動子１の周波数温度特性に基づく補償データを記憶しており、温度センサ２２からの温度データに基づいて、温度に対応する補償データで水晶振動子１からの出力周波数を補正して、ＡＭＰ２３に出力する。
【０００７】
ＡＭＰ２３は、ＶＣ−ＴＣＸＯ発振回路２１からの周波数信号を増幅して発振器出力（Ｖout）として出力端子（Ｖout）に出力する。
また、ＡＭＰ２３は、Ｖed端子からのＥ／Ｄ信号に基づいて、増幅動作のＯＮ／ＯＦＦを切替えることで、Ｖoutの出力／非出力を切替える。
具体的には、Ｅ／Ｄ信号が "Enable（イネーブル）" であれば、ＡＭＰ２３は増幅動作を行って、Ｖoutの出力を行い、Ｅ／Ｄ信号が "Disable（ディセーブル）" であれば、ＡＭＰ２３は増幅動作を行わず、Ｖoutは出力されない。
【０００８】
そして、水晶振動子１とＩＣ２とはセラミック製等のパッケージに格納されて封止されており、ケース内部には、ＩＣ２の各端子に接続する端子が形成され、ケースの底面（裏面）には、水晶発振器が搭載される基板に接続する外部端子が形成されている。
【０００９】
［関連技術］
尚、付加機能を備えた水晶発振器に関する技術としては、特開２０１１−２０５５６３号公報「多機能型とした電圧制御型の温度補償水晶発振器」（日本電波工業株式会社、特許文献１）、特開２００４−３４３３９８号公報「圧電発振器」（東洋通信機株式会社、特許文献２）がある。
【００１０】
特許文献１には、共通部材として３つの付加機能を実現可能なＩＣチップを備えた発振器を用いて、ＩＣチップの回路面の第１表面層の上に全ての機能に対応する端子が形成され、第１表面層の上に絶縁層を介して形成された第２表面層に、基本的な機能と選択された付加機能の端子のみを形成して、第１表面層の端子と電気的に接続するよう回路パターンを形成することにより、任意の２つの付加機能を選択して実現することが記載されている。
【００１１】
また、特許文献２には、Ｅ／Ｄ機能を備えた発振器において、発振器のパッケージ底面に形成された２つのＥ／Ｄ機能制御入力用端子を短絡する配線パターンを備え、２つのＥ／Ｄ機能制御入力用端子の内、使用しない端子を接続若しくは接地しないようにすることで、他方の端子をＥ／Ｄ機能制御入力用端子として使用可能として、配線基板を共有化することが記載されている。
【先行技術文献】
【特許文献】
【００１２】
【特許文献１】特開２０１１−２０５５６３号公報
【特許文献２】特開２００４−３４３３９８号公報
【発明の概要】
【発明が解決しようとする課題】
【００１３】
しかしながら、従来の特許文献１記載のＶＣ−ＴＣＸＯでは、付加機能を設定するために、端子を２層構造にして、所望の機能のみを接続するよう回路パターンを形成する構成であるため、どの付加機能を選択するかによって回路パターンを変えなければならず、構成が複雑でコストがかかるという問題点があった。
【００１４】
尚、特許文献１及び特許文献２には、付加機能に対応する入力端子又は出力端子に接続するスイッチ素子を備え、ＥＥＰＲＯＭに記憶されたデータに基づいてスイッチ素子を切り替えることで、各付加機能のＯＮ／ＯＦＦを設定可能とすることは記載されていない。
【００１５】
本発明は、上記実状に鑑みて為されたもので、簡易な構成及び低コストで複数の付加機能の中から所望の機能を選択して実現できる水晶発振器を提供することを目的とする。
【課題を解決するための手段】
【００１６】
上記従来例の問題点を解決するための本発明は、水晶振動子とＩＣとを有し、前記ＩＣが発振回路及び温度センサを備え、温度センサで検出された温度データに基づいて周波数信号を補償する温度補償機能を有する水晶発振器であって、ＩＣが、電源電圧端子と、接地端子と、出力端子と、温度データを出力する温度センサデータ出力端子と、温度センサデータ出力端子のオン／オフを切り替える第１のスイッチ素子と、第１のスイッチ素子のオン／オフを規定する指示データを記憶し、第１のスイッチ素子に指示データを出力するメモリとを備えたことを特徴としている。
【００１７】
また、本発明は、上記水晶発振器において、ＩＣが、発振器出力の出力／非出力を切り替えるイネーブル／ディセーブル信号を入力するイネーブル／ディセーブル端子と、イネーブル／ディセーブル端子のオン／オフを切り替える第２のスイッチ素子とを備え、メモリが、第２のスイッチ素子のオン／オフを規定する指示データを記憶し、第２のスイッチ素子に指示データを出力することを特徴としている。
【００１８】
また、本発明は、上記水晶発振器において、ＩＣが、自動周波数制御電圧を入力する自動周波数制御電圧入力端子と、自動周波数制御電圧入力端子のオン／オフを切り替える第３のスイッチ素子とを備え、メモリが、第３のスイッチ素子のオン／オフを規定する指示データを記憶し、第３のスイッチ素子に指示データを出力することを特徴としている。
【００１９】
また、本発明は、上記水晶発振器において、メモリがＥＥＰＲＯＭであって、電源投入時に第１、第２、第３のスイッチ素子を、それぞれオン又はオフに設定することを特徴としている。
【発明の効果】
【００２０】
本発明によれば、水晶振動子とＩＣとを有し、前記ＩＣが発振回路及び温度センサを備え、温度センサで検出された温度データに基づいて周波数信号を補償する温度補償機能を有する水晶発振器であって、ＩＣが、電源電圧端子と、接地端子と、出力端子と、温度データを出力する温度センサデータ出力端子と、温度センサデータ出力端子のオン／オフを切り替える第１のスイッチ素子と、第１のスイッチ素子のオン／オフを規定する指示データを記憶し、第１のスイッチ素子に指示データを出力するメモリとを備えた水晶発振器としているので、端子構成を多層にしたり、回路パターンを変更しなくても、簡易な構成及び低コストで、要求される仕様に応じて、温度センサデータ出力機能の使用／非使用を指示データによって容易に指定することができる効果がある。
【００２１】
また、本発明によれば、ＩＣが、発振器出力の出力／非出力を切り替えるイネーブル／ディセーブル信号を入力するイネーブル／ディセーブル端子と、イネーブル／ディセーブル端子のオン／オフを切り替える第２のスイッチ素子とを備え、メモリが、第２のスイッチ素子のオン／オフを規定する指示データを記憶し、第２のスイッチ素子に指示データを出力する上記水晶発振器としているので、簡易な構成及び低コストで、要求される仕様に応じて、イネーブル／ディセーブル機能の使用／非使用を指示データによって容易に指定することができる効果がある。
【００２２】
また、本発明によれば、ＩＣが、自動周波数制御電圧を入力する自動周波数制御電圧入力端子と、自動周波数制御電圧入力端子のオン／オフを切り替える第３のスイッチ素子とを備え、メモリが、第３のスイッチ素子のオン／オフを規定する指示データを記憶し、第３のスイッチ素子に指示データを出力する上記水晶発振器としているので、簡易な構成及び低コストで、要求される仕様に応じて、自動周波数制御機能の使用／非使用を指示データによって容易に指定することができる効果がある。
【００２３】
また、本発明によれば、メモリがＥＥＰＲＯＭであって、電源投入時に第１、第２、第３のスイッチ素子を、それぞれオン又はオフに設定する上記水晶発振器としているので、温度センサデータ出力機能、イネーブル／ディセーブル機能、自動周波数制御機能についてそれぞれ独立して使用／非使用を設定することができ、同一のＩＣを用いて複数の異なる付加機能の組み合わせを実現することができ、要求される仕様に応じて所望の付加機能を実現する水晶発振器を安価に製造することができる効果がある。
【図面の簡単な説明】
【００２４】
【図１】本発明の実施の形態に係る水晶発振器の回路構成を示す説明図である。
【図２】本水晶発振器の裏面に設けられた外部端子の配置を示す説明図である。
【図３】従来のＶＣ−ＴＣＸＯの回路構成を示す説明図である。
【発明を実施するための形態】
【００２５】
本発明の実施の形態について図面を参照しながら説明する。
［実施の形態の概要］
本発明の実施の形態に係る水晶発振器は、温度補償機能を備えた温度補償型水晶発振器において、付加機能として、自動周波数制御機能、発振器出力のＥ／Ｄ機能、温度センサデータ出力機能を備え、各付加機能に対応する端子のオン／オフを切り替えるスイッチ素子と、各スイッチ素子のオン／オフを規定するデータを記憶するメモリとを有し、電源投入時に、メモリが、記憶しているデータに基づいて各スイッチ素子をオン又はオフに設定するものであり、端子構造を２層にしたり、どの付加機能を使用するかによって回路パターンを変える必要はなく、簡易な構成及び低コストで複数の付加機能の中から所望の付加機能を選択して実現することができ、同一のＩＣを用いて複数の客先の仕様に応じた付加機能を備えた発振器を安価に実現できるものである。
【００２６】
［実施の形態に係る水晶発振器：図１］
本発明の実施の形態に係る水晶発振器について図１を用いて説明する。図１は、本発明の実施の形態に係る水晶発振器の回路構成を示す説明図である。
本発明の実施の形態に係る水晶発振器（本水晶発振器）は、図３に示した従来の水晶発振器と同様に、自動周波数制御機能と、温度補償機能とを基本的に備えているＶＣ−ＴＣＸＯであり、付加機能として、自動周波数制御機能と、発振器出力の出力／非出力を切り替えるＥ／Ｄ機能と、温度センサデータ出力機能とを備えている。
【００２７】
自動周波数制御機能は、ＶＣ−ＴＣＸＯには基本的に設けられているものであるが、本水晶発振器では、要求される仕様に応じて当該機能のオン／オフ（使用／非使用）を任意に設定可能としている。
同様に、本水晶発振器では、発振器出力のＥ／Ｄ機能と、温度センサデータ出力機能のオン／オフを任意に設定可能としている。
【００２８】
そして、図１に示すように、本水晶発振器は、水晶振動子１とＩＣ２０とから構成されており、水晶振動子１は、ＩＣ２０に水晶端子（Ｘ１，Ｘ２）により接続されている。ＩＣ２０の構成及び動作が従来とは一部異なっている。
【００２９】
水晶振動子１は、従来と同様に周波数を発振する。
ＩＣ２０は、従来と同様の部分として、ＶＣ−ＴＣＸＯ発振回路２１と、温度センサ２２と、ＡＭＰ２３とを備えている。
ＶＣ−ＴＣＸＯ発振回路２１は、従来と同様に、Ｖafc端子から入力される制御電圧に基づいて、水晶振動子１に印加される電圧を制御して発振周波数を制御すると共に、温度センサ２２からの温度データに基づいて対応する補償データで水晶振動子１からの出力周波数を補償してＡＭＰ２３に出力する。
【００３０】
また、ＩＣ２０の回路面には、外部に接続する端子として、自動周波数制御電圧端子（Ｖafc）、電源電圧端子（Ｖcc）、接地端子（ＧＮＤ）、出力端子（Ｖout）、温度センサ出力端子（Ｖtsens）、Ｅ／Ｄ入力端子（Ｖed）を備えている。
本水晶振動子では、これらの内、自動周波数制御電圧端子（Ｖafc）、Ｅ／Ｄ入力端子（Ｖed）、温度センサ出力端子（Ｖtsens）のオン／オフを任意に設定可能としている。
【００３１】
更に、ＩＣ２０は、本水晶発振器の特徴部分として、ＥＥＰＲＯＭ（Electrically Erasable Programmable Read-Only Memory）２４と、スイッチ素子２５，２６，２７とを備えている。
【００３２】
［スイッチ素子２５，２６，２７］
スイッチ素子２５，２６，２７は、付加機能に対応する制御信号端子又は出力端子のオン／オフ（接続／非接続）を切り替えるものである。
スイッチ素子２５は、自動周波数制御電圧端子（Ｖafc）とＶＣ−ＴＣＸＯ発振回路２１との間に設けられ、自動周波数制御電圧端子（Ｖafc）のオン／オフを切り替える。つまり、スイッチ素子２５がオンであれば、自動周波数制御電圧端子（Ｖafc）はＶＣ−ＴＣＸＯ発振回路２１に接続されて自動周波数制御電圧が供給され、オフであれば接続されない。
スイッチ素子２５の状態によって、自動周波数制御機能がオン又はオフに設定される。
【００３３】
また、スイッチ素子２６は、Ｅ／Ｄ入力端子（Ｖed）とＡＭＰ２３との間に設けられ、Ｅ／Ｄ入力端子（Ｖed）とＡＭＰ２３との接続／非接続を切り替えることにより、Ｅ／Ｄ入力端子（Ｖed）のオン／オフを切り替える。
これにより、Ｅ／Ｄ機能がオン又はオフに設定される。
【００３４】
同様に、スイッチ素子２７は、温度センサ２２と温度センサ出力端子（Ｖtsens）との間に設けられ、温度センサ出力端子（Ｖtsens）のオン／オフを切り替える。
これにより、温度センサデータ出力機能がオン又はオフに設定される。
【００３５】
［ＥＥＰＲＯＭ２４］
ＥＥＰＯＲＯＭ２４には、スイッチ素子２５，２６，２７のオン／オフを指定する指示データとして、少なくとも３桁の２進数データが記憶されている。本実施の形態では３桁としている。
指示データの各桁は、スイッチ素子２５，２６，２７のそれぞれに対応しており、「１」は対応するスイッチ素子をオンとし、「０」はオフとすることを示す。
そして、電源投入時に、ＥＥＰＲＯＭ２４が、指示データに従って、３つのスイッチ素子２５，２６，２７をオン又はオフに設定する。これにより、対応するスイッチ素子がオンとなった付加機能のみをオンとすることができるものである。
【００３６】
例えば、指示データの左桁から順にスイッチ素子２５，２６，２７に対応しているものとすると、「１００」は、スイッチ素子２５をオン、スイッチ素子２６，２７をオフとすることを指示するデータであり、３つの付加機能の内、自動周波数制御機能のみをオンとして実現し、Ｅ／Ｄ機能及び温度センサデータ出力機能はオフとするものである。
【００３７】
また、指示データ「１１０」は、スイッチ素子２５と２６をオンとし、スイッチ素子２７をオフとするものであり、自動周波数制御機能とＥ／Ｄ機能をオンとし、温度センサデータ出力機能をオフとするものである。
指示データ「０００」は、スイッチ素子２５，２６，２７を全てオフとして、付加機能を実現せず、温度補償された周波数を出力するのみの発振器として機能させるものである。
【００３８】
このように、本水晶発振器では、顧客の仕様に応じて、所望の付加機能をオンとするよう、出荷時にＥＥＰＲＯＭ２４に指示データを書き込むようにすれば、１つの構成で８通りの付加機能の組み合わせに対応可能な発振器とすることができるものであり、部材を共通化してコストを低減することができるものである。
【００３９】
具体的には、温度補償機能に加えて、付加機能として自動周波数制御機能、発振器出力のＥ／Ｄ機能、温度センサデータ出力機能を全て備えたＶＣ−ＴＣＸＯを共通部材として用意しておき、顧客の要求に応じてＥＥＰＲＯＭ２４に指示データを書き込んで、付加機能のオン／オフを任意に設定すればよく、客先の仕様に合った発振器を簡便に製造することができるものである。
【００４０】
［ＩＣ２０の端子］
上述したように、特許文献１のＩＣチップは、使用しない付加機能の端子を表面に出さないよう、端子を、その図３，４に記載されているように絶縁膜を介した多層構造とする必要があり、選択される付加機能に応じて、表面層の端子のパターンやスルーホール等の回路パターンを形成しなければならず、構成が複雑で、コストが増大してしまう。
【００４１】
これに対して、本水晶発振器のＩＣ２０には、自動周波数制御電圧端子（Ｖafc）、電源電圧端子（Ｖcc）、接地端子（ＧＮＤ）、出力端子（Ｖout）、温度センサ出力端子（Ｖtsens）、Ｅ／Ｄ入力端子（Ｖed）の６つの端子が形成されているが、全て同じ回路面に形成されており、端子の構造は多層構造にはなっていない。
【００４２】
これは、本水晶発振器では使用しない付加機能の端子自体を、電気的に接続されないオフの状態にすることができるため、使用しない付加機能の端子を絶縁膜等によって隔離する必要がないためである。
これにより、本水晶発振器は、簡易な構成及び低コストで、３種類の付加機能のオン／オフを任意に選択可能とすることができるものである。
【００４３】
［本水晶発振器の外部端子配置：図２］
次に、本水晶発振器の外部端子の配置について図２を用いて説明する。図２は、本水晶発振器の裏面に設けられた外部端子の配置を示す説明図である。尚、図２では、本水晶発振器の上面から透視した配置を示している。
図２に示すように、本水晶発振器のパッケージ底面には、実装基板に接続するための外部端子が形成されており、左下から反時計回りに外部端子３１〜外部端子３６の６つの外部端子が設けられている。
【００４４】
そして、図２の例では、ＶＣ−ＴＣＸＯの基本的な機能としての、周波数制御端子（Ｖafc）、接地端子（ＧＮＤ）、出力端子（Ｖout）、電源電圧端子（Ｖcc）は、それぞれ、外部端子３１、外部端子３３、外部端子３４、外部端子３６に割りつけられている。
これらの基本的な機能に対応する外部端子の配置は、製品検査等を容易にするために通常固定されている。
【００４５】
また、図２の例では、付加機能に対応する温度センサデータ出力端子（Ｖtsens）は外部端子３２に、Ｅ／Ｄ端子（Ｖed）は外部端子３５に割り付けられているが、逆であっても構わない。
そして、各外部端子３１〜３６は、スルーホール又はパッケージ側面の電極及びパッケージ内面に形成された電極を介して、ＩＣ２０の対応する端子と接続されている。
【００４６】
［実施の形態の効果］
本発明の実施の形態に係る水晶発振器によれば、温度補償機能に加えて、付加機能として、自動周波数制御機能、発振器出力のＥ／Ｄ機能、温度センサデータ出力機能を備えたＶＣ−ＴＣＸＯにおいて、ＩＣ２０に、各付加機能に対応する端子のオン／オフを切り替えるスイッチ素子２５，２６，２７と、スイッチ素子２５，２６，２７のオン／オフを規定する指示データを記憶するＥＥＰＲＯＭ２４とを有し、ＥＥＰＲＯＭ２４が、電源投入時に、指示データに基づいて各スイッチ素子２５，２６，２７をオン又はオフに設定するものであり、オンに設定された端子に対応する付加機能のみを実現でき、端子構造を２層にしたり、回路パターンを変えることなく、簡易な構成及び低コストで複数の付加機能の中から所望の付加機能を選択して実現することができ、異なる付加機能を備えた水晶発振器を安価に実現できる効果がある。
【００４７】
また、本水晶発振器によれば、指示データを３桁の２進数データとして、各桁をそれぞれスイッチ素子２５，２６，２７のオン／オフに対応させているので、指示データを書き替えるだけで、同じＩＣ２０で８種類の付加機能の組み合わせを実現でき、異なる付加機能を備えた水晶発振器を安価に実現できる効果がある。
【産業上の利用可能性】
【００４８】
本発明は、簡易な構成及び低コストで複数の付加機能の中から所望の機能を選択して実現できる水晶発振器に適している。
【符号の説明】
【００４９】
１...水晶振動子、  ２，２０...ＩＣ、  ２１...ＶＣ−ＴＣＸＯ発振回路、  ２２...温度センサ、  ２３...ＡＭＰ、  ２４...ＥＥＰＲＯＭ、  ２５，２６，２７...スイッチ素子、  ３１，３２，３３，３４，３５，３６...外部端子
【図１】
2013219461.tif 000003
【図２】
2013219461.tif 000004
【図３】
2013219461.tif 000005